(57)【要約】【課題】操作ハンドルを吐水状態から止水状態に切り替える際に当該操作ハンドルのロック機構が確実にセットされ、操作ハンドルの止水位置が変化してもロックミスが発生しない吐水装置を提供する。【解決手段】吐水装置１０は、略Ｌ字状の管体で形成された吐水部１１と、回動操作により吐水部１１の吐水・止水を切り替える操作ハンドル１７と、吐水部１１を止水状態から吐水状態へ切り替える際の操作ハンドル１７の回動を規制するロック機構と、を有している。吐水部１１を止水状態から吐水状態へ切り替えるときはロック機構を解除した位置Ｒ２から操作ハンドル１７を一定角度回動させた位置Ｒ３で吐水状態に切り替わり、吐水部１１を吐水状態から止水状態へ切り替えるときはロック機構がセットされた位置Ｒ２から操作ハンドル１７を一定角度回動させた位置Ｒ１で止水状態に切り替わる。【選択図】図６
2010047916.tif 000002
【特許請求の範囲】
【請求項１】
吐水部と、回動操作により前記吐水部からの吐水・止水を切り替える操作ハンドルと、を有する吐水装置において、
前記操作ハンドルは、前記吐水部を止水状態から吐水状態へ切り替える際の当該操作ハンドルの回動を規制するロック機構を有し、
前記操作ハンドルを回動させて前記吐水部を止水状態から吐水状態へ切り替えるときは前記ロック機構が解除された位置から前記操作ハンドルを一定角度回動させると止水状態から吐水状態に切り替わり、
前記操作ハンドルを回動させて前記吐水部を吐水状態から止水状態に切り替えるときは前記ロック機構がセットされた位置から前記操作ハンドルを一定角度回動させると吐水状態から止水状態に切り替わることを特徴とする吐水装置。
【請求項２】
前記吐水装置は、前記吐水部に給水を行う弁体と、前記操作ハンドル及び前記弁体に連結し、前記操作ハンドルの回動を前記弁体に伝達するスピンドルと、を備えた水栓本体を有し、
前記スピンドルは、前記操作ハンドルと連結した第一スピンドル部材と、前記弁体と連結した第二スピンドル部材とを有し、前記第一スピンドル部材と前記第二スピンドル部材との回動伝達に遊びを設けたことを特徴とする請求項１記載の吐水装置。
【請求項３】
前記吐水部は、便器ボール面に向かって吐水する使用位置と、便器後部に起立する非使用位置との間で回動可能であることを特徴とする請求項１または２記載の吐水装置。
【請求項４】
前記吐水部が前記非使用位置にある状態で前記操作ハンドルを回動させたときに前記ロック機構が解除されるのを防止するために前記吐水部と一体的に回動するロックカバーを設けたことを特徴とする請求項３記載の吐水装置。
【請求項５】
前記ロックカバーは、前記吐水部が使用位置にあるときに限り、前記ロック機構を解除可能な状態となることを特徴とする請求項４記載の水栓装置。
【発明の詳細な説明】
【技術分野】
【０００１】
本発明は、パウチや尿瓶を洗浄する水栓などが装備された多機能トイレなどに設置して使用される吐水装置に関する。
【背景技術】
【０００２】
本願発明に関連する従来技術として、図１６に示すような吐水装置５０がある。この吐水装置５０は、給水源（図示せず）から壁面Ｗに配管された給水管５２に連結された略円筒状の本体部５３と、本体部５３の片端部に起伏可能に取り付けられた円管状の吐水部５１と、本体部５３の他端部に回動可能に取り付けられたレバー５７ａ付きの操作ハンドル５７と、操作ハンドル５７の外周面に突設されたロックボタン５８と、ロックボタン５８を覆ったり、露出させたりする略半球状のボタンカバー５６と、吐水部５１の起伏操作と連動して操作ハンドル５７の外周面に沿ってボタンカバー５６を回動させるための連動ロッド５５と、を備えている。吐水部５１は矢線５１ｓの範囲内で起伏可能であり、操作ハンドル５７は矢線５７ｓの範囲内で回動可能である。
【０００３】
図１６に示すように、吐水装置５０の吐水部５１が非使用位置（起立状態）にあるときは、通常、操作ハンドル５７のレバー５７ａも垂直位置Ｖ（起立状態）にあり、本体部５３の正面側に位置するロックボタン５８はボタンカバー５６によって覆われている。吐水装置５０を使用する場合、図１７に示すように、吐水部５１を本体部５３の正面側に倒伏させるように回動させると、吐水部５１と連動して本体部５３の外周面に沿って回動する連動ロッド５５を介してボタンカバー５６が本体部５３の下面側へ回動して、ロックボタン５８が露出する。
【０００４】
この後、ロックボタン５８を押圧するとロックが解除され操作ハンドル５７が回動可能となるので、その状態で、図１８に示すように、操作ハンドル５７のレバー５７ａを本体部５３の背面側へ回動させると、本体部５３内の弁体５９（図１９参照）が開いて、吐水部５１の吐水口５１ａからの吐水が開始される。操作ハンドル５７は、レバー５７ａが水平位置Ｈ（図１６参照）に達するまで回動させることができ、水平位置Ｈに近づくほど吐水量が増大するようになっている。
【０００５】
図１９に示すように、吐水装置５０の本体部５３内には、その軸心方向に沿ってスピンドル６０が回動可能に配置され、スピンドル６０の基端部６０ａに操作ハンドル５７が接続され、先端部６０ｂは弁体５９に接続されている。前述したように、レバー５７ａを介して操作ハンドル５７を回動させると本体部５３内のスピンドル６０が同時に回動して弁体５９への押圧が解除されるので、弁体５９が弁座５４から離れ、給水管５２と吐水部５１とが連通し、吐水口５１ａからの吐水が行われる。
【０００６】
吐水装置５０においては、使用者が誤って吐水操作や止水操作をしたときのトラブルを防止するため、平常は操作ハンドル５７を回動不能に保ち、ロックボタン５８の押圧操作でロック解除され操作ハンドル５７が回動可能となるロック機構が設けられている。また、吐水装置５０の場合、内蔵されたパッキン５９ａ（図１９参照）などが操作ハンドル５７の回動操作の反復によって経年劣化し、その止水位置が次第にずれてくるのに対処するため、ロックボタン５８を押圧してロックが解除されると直ちに止水状態から吐水状態へ切り替わる位置にロックセット位置を設けずに、ロックボタン５８を押圧した後、操作ハンドル５７を一定角度回動させたときに吐水状態となるようにロックセット位置が設定されているのが一般的である。
【０００７】
図１６に示すように、ロック解除状態の操作ハンドル５７は、そのレバー５７ａが垂直位置Ｖから水平位置Ｈに至る範囲内（矢線５７ｓで示す範囲内）において回動可能であるが、通常はロックがセットされているため、操作ハンドル５７のレバー５７ａは垂直位置Ｖから傾斜位置Ｐ１までの範囲内で回動可能である。吐水部５１を本体部５３の正面側に倒伏させ、ロックボタン５８を露出させた状態でロックボタン５８を押圧すると、ロックが解除され、操作ハンドル５７のレバー５７ａは傾斜位置Ｐ１を通過して回動可能となるので、さらに回動させると、レバー５７ａが傾斜位置Ｐ２に達したときに吐水が開始される。このように、操作ハンドル５７のレバー５７ａが矢線Ｔ１の範囲内にあるときは止水状態にあり、矢線Ｔ２の範囲内にあるときは吐水状態にあり、矢線Ｔ３の範囲内（傾斜位置Ｐ１，Ｐ２の間）にあるときは止水状態にあるがロックはされていない。
【０００８】
一方、本願発明に関連するその他の吐水装置として、操作ハンドルが止水位置にあるときのロックボタンの解除操作を防止するため、吐水部が非使用位置にあるときは、吐水部の起伏運動と連動して動きながら当該ロックボタンを覆うロックボタンカバーを操作ハンドルに設けたものがある（例えば、特許文献１参照。）。また、吐水部が非使用位置にあるときは、操作ハンドルに接近して位置することにより、操作ハンドルの回動操作を規制する規制手段を設けた吐水装置もある（例えば、特許文献２参照。）。
【０００９】
【特許文献１】特開２００７−１９８０９２号公報
【特許文献２】特開平１０−２０４９５６号公報
【発明の開示】
【発明が解決しようとする課題】
【００１０】
図１６に示すように、従来の吐水装置５０の場合、操作ハンドル５７を吐水位置（水平位置Ｈ）から止水位置（垂直位置Ｖ）に向けて回動操作していくと、そのレバー５７ａが傾斜位置Ｐ２を通過した後、傾斜位置Ｐ１に達する前の段階（矢線Ｔ３の範囲）で吐水部５１は止水状態となる。即ち、操作ハンドル５７のロック機構がセットされる前に吐水部５１は止水状態となるため、使用者は、操作ハンドル５７がロックされる前（レバー５７ａが傾斜位置Ｐ１に達する前）に操作ハンドル５７の回動操作を止めることがある。
【００１１】
このような状態にある吐水装置５０において、次の使用者が誤って操作ハンドル５７を吐水方向へ回動操作すると、ロック機構がセットされていないため、操作ハンドル５７が回動して、吐水部５１の吐水口５１ａから吐水してしまうことがある。従って、吐水口５１ａから吐出される水が無駄になり、節水の観点から望ましくない。
【００１２】
また、特許文献１，２に記載された吐水装置においては、便器背面側の壁面に水栓本体部が固定され、操作ハンドルはロックされていないため、使用者が誤って操作ハンドルを操作すると、吐水部の吐水口から急に吐水してしまい、使用者の背中や衣服を濡らすことがある。
【００１３】
さらに、特許文献１記載の吐水装置は、操作ハンドルのロックボタンを覆うためのロックボタンカバーを設けた構造であるが、前述した吐水装置５０と同様の問題を有する。また、特許文献２記載の吐水装置の場合、吐水部が非使用位置にあるときの操作ハンドルの回動を防止することはできるが、ロック機構が機能している状態において、操作ハンドルが不意に操作されたときの吐水を防止することはできない。
【００１４】
本発明が解決しようとする課題は、操作ハンドルを吐水状態から止水状態に切り替える際に当該操作ハンドルのロック機構が確実にセットされ、操作ハンドルの止水位置が変化してもロックミスが発生しない吐水装置を提供することにある。
【課題を解決するための手段】
【００１５】
本発明は、吐水部と、回動操作により前記吐水部からの吐水・止水を切り替える操作ハンドルと、を有する吐水装置において、
前記操作ハンドルは、前記吐水部を止水状態から吐水状態へ切り替える際の当該操作ハンドルの回動を規制するロック機構を有し、
前記操作ハンドルを回動させて前記吐水部を止水状態から吐水状態へ切り替えるときは前記ロック機構が解除された位置から前記操作ハンドルを一定角度回動させると止水状態から吐水状態に切り替わり、
前記操作ハンドルを回動させて前記吐水部を吐水状態から止水状態に切り替えるときは前記ロック機構がセットされた位置から前記操作ハンドルを一定角度回動させると吐水状態から止水状態に切り替わることを特徴とする。
【００１６】
このような構成とすれば、吐水部を止水状態から吐水状態へ切り替えるときは、従来通り、操作ハンドルのロック機構が解除された位置から一定角度操作ハンドルを回動させることによって吐水状態へ切り替わり、吐水状態から止水状態に切り替えるときは、従来と異なり、操作ハンドルのロック機構がセットされた位置から一定角度だけ当該操作ハンドルを回動させないと止水されないこととなる。従って、吐水状態から止水状態へ切り替えるとき、ロック機構がセットされない状態で操作ハンドルが止水位置に到達することがなくなる。このため、吐水部が止水状態にあるときに、誤って操作ハンドルが吐水側へ回動されても、必ずロック機構が機能して、吐水部から吐水されることがない。
【００１７】
また、ロック機構は、当該ロック機構がセットされた位置から、一定角度操作ハンドルを回動させないと、吐水部が吐水から止水へ切り替わらないため、水栓を構成するパッキンなどの劣化により、操作ハンドルの止水位置が変化することがあっても、ロック機構がセットされる前に、吐水部が止水されるような事態が発生しない。
【００１８】
ここで、前記吐水装置は、前記吐水部に給水を行う弁体と、前記操作ハンドル及び前記弁体に連結し、前記操作ハンドルの回動を前記弁体に伝達するスピンドルと、を備えた水栓本体を有し、
前記スピンドルは、前記操作ハンドルと連結した第一スピンドル部材と、前記弁体と連結した第二スピンドル部材とを有し、前記第一スピンドル部材と前記第二スピンドル部材との回動伝達に遊びを設けることが望ましい。
【００１９】
このような構成とすれば、第一スピンドル部材と第二スピンドル部材とが一体的に連動しない機構が形成されるので、操作ハンドルの回動操作と同時に弁体が回動することがなくなり、当該操作ハンドルの操作角度と、それに伴う弁体の回動角度との間に「遊び」に相当する分の角度差が生じる。これにより、誤って操作ハンドルを操作したとき、直ちに弁体が開いて吐水されることのないロック機構が形成されるため、吐水部からの意図しない吐水を防止することできる。
【００２０】
また、前記吐水部が、便器ボール面に向かって吐水する使用位置と、便器後部に起立する非使用位置との間で回動可能である吐水装置でも、吐水部が止水状態にも係わらず、操作ハンドルのロック機構が解除されているような状態がないので、吐水部が便器後部に起立する非使用位置にあるときに操作ハンドルが誤って吐水操作されても必ずロック機構が機能して、吐水部からは吐水されない。従って、使用者が便器に座った状態で誤って操作ハンドルを吐水操作しようとしても、使用者の衣服や背中に水が掛かるようなトラブルの発生を回避することができる。
【００２１】
さらに、前記吐水部が前記非使用位置にある状態で前記操作ハンドルを回動させたときに前記ロック機構が解除されるのを防止するために前記吐水部と一体的に回動するロックカバーを設けることが望ましい。このような構成とすれば、吐水部が非使用位置にある状態で、操作ハンドルを誤って回動させて、更にロック機構を誤って解除しようとしても、ロックカバーがロック機構の解除を防止するため、吐水部から水を吐水させることはできず、吐水部から水が吐水されて使用者の衣服や背中を濡らすようなトラブルの発生をより少なくすることができる。
【００２２】
この場合、前記ロックカバーは、前記吐水部が使用位置にあるときに限り、前記ロック機構を解除可能な状態となるようにすれば、吐水部が使用位置以外にあるときはロックカバーがロック機構を解除不能に保つことができる。従って、吐水部が使用位置にない状態において、使用者が誤ってロック機構を解除することを防止することができる。
【発明の効果】
【００２３】
本発明により、操作ハンドルを吐水状態から止水状態に切り替える際に当該操作ハンドルのロック機構が確実にセットされ、操作ハンドルの止水位置が変化してもロックミスが発生しない吐水装置を提供することができる。
【発明を実施するための最良の形態】
【００２４】
以下、図面に基づいて、本発明の実施の形態について説明する。図１は本発明の実施の形態である吐水装置の斜視図、図２は図１に示す吐水装置が吐水状態にあるときの斜視図、図３は図１に示す吐水装置の操作手順を示す斜視図、図４は図１に示す吐水装置の操作手順を示す斜視図、図５は図１に示す吐水装置の操作手順を示す斜視図、図６は図１に示す吐水装置の側面図、図７は図６に示す吐水装置の操作手順を示す側面図、図８は図６に示す吐水装置が吐水状態にあるときの側面図、図９は図７のＡ−Ａ線における断面図である。
【００２５】
図１，図２に示すように、本実施形態の吐水装置１０は、洋式便器２０の背面側に位置する壁面Ｗに取り付けられている。また、洋式便器２０は、便器本体２０ａ，便座２０ｂ及び衛生洗浄装置などが内蔵された機能部２０ｃなどによって構成されている。吐水装置１０は、給水源（図示せず）から壁面Ｗに配管された給水管１２に連結された略円筒状の本体部１３と、本体部１３の片端部に起伏可能に取り付けられた吐水部１１と、本体部１３の他端部に回動可能に取り付けられたレバー１７ａ付きの操作ハンドル１７と、操作ハンドル１７の外周面に突設されたロックボタン１８と、ロックボタン１８を覆ったり、露出させたりする円弧板形状のロックカバー１６と、吐水部１１の起伏操作と連動して操作ハンドル１７の外周面に沿ってロックカバー１６を回動させるための連動ロッド１５と、を備えている。図６に示すように、吐水部１１は矢線１１ｓの範囲内で起伏可能であり、操作ハンドル１７は矢線１７ｓの範囲内で回動可能である。
【００２６】
吐水部１１は略Ｌ字状の管体で形成され、その先端には吐水口１１ａが設けられ、基端側が本体部１３に回動可能に取り付けられている。操作ハンドル１７には、吐水部１１を止水状態から吐水状態へ切り替える際の当該操作ハンドル１７の回動を規制するロック機構（図示せず）が設けられている。ロックカバー１６の内周にはロックボタン１８を収納するための溝部１６ａが当該ロックカバー１６の回動方向に沿って設けられている。
【００２７】
図１，図６に示すように、吐水装置１０の吐水部１１が非使用位置（起立状態）にあるときは、操作ハンドル１７のレバー１７ａは垂直位置Ｖ（垂下状態）にあり、本体部１３の正面側に位置するロックボタン１８はロックカバー１６によって覆われている。吐水装置１０を使用する場合、図３に示すように、吐水部１１の吐水口１１ａ付近を手Ｆで掴んで便器本体２０ａの正面側に倒伏させるように回動させると、吐水部１１と連動して本体部１３の外周面に沿って回動する連動ロッド１５によってロックカバー１６が本体部１３の下面側へ回動するため、図７に示すように、操作ハンドル１７の正面側にロックボタン１８が露出した状態となる。
【００２８】
この後、図４に示すように、操作ハンドル１７のレバー１７ａを手Ｆで掴んだ状態でロックボタン１８を手指で押圧するとロックが解除され、操作ハンドル１７が回動可能となるので、図５に示すように、操作ハンドル１７のレバー１７ａを本体部１３の背面側（壁面Ｗ側）へ回動させると、図９に示す本体部１３内のスピンドル２３を介して弁体１９が開かれ、図８に示すように、吐水部１１の吐水口１１ａからの吐水が始まる。操作ハンドル１７は、図６に示すように、レバー１７ａが水平位置Ｈに達するまで回動させることができ、水平位置Ｈに近づくほど吐水口１１ａからの吐水量が増加する。
【００２９】
図９に示すように、吐水装置１０の本体部１３内には、その軸心方向に沿ってスピンドル２３が回動可能に配置されている。スピンドル２３は、同軸上に直列配置された第一スピンドル部材２１と第二スピンドル部材２２とで構成され、第一スピンドル部材２１の基端部２１ａが操作ハンドル１７に連結され、第二スピンドル部材２２の先端部２２ａが弁体１９に連結されている。また、第一スピンドル部材２１の回動を第二スピンドル部材２２に伝達するため、第一スピンドル部材２１の先端部２１ｂ及び第二スピンドル部材２２の基端部２２ｂにそれぞれ連結面２１ｃ，２２ｃが設けられている。
【００３０】
ここで、図１０〜図１２に基づいて、スピンドル２３及び第一スピンドル部材２１及び第二スピンドル部材２２の形状、機能などについて説明する。図１０は図９に示す吐水装置を構成するスピンドルの正面図、図１１（ａ）は図１０に示すスピンドルを構成する第一スピンドル部材の側面図、図１１（ｂ）は前記第一スピンドル部材の正面図、図１２（ａ）は図１０に示すスピンドルを構成する第二スピンドル部材の正面図、図１２（ｂ）は前記第二スピンドル部材の側面図である。
【００３１】
図１０に示すように、スピンドル２３は、同軸上に直列配置された第一スピンドル部材２１と第二スピンドル部材２２とで構成されている。図１１に示すように、第一スピンドル部材２１の先端部２１ｂは、その軸心Ｃを含む平面状の連結面２１ｃを有する蒲鉾形状をしている。図１２に示すように、第二スピンドル部材２２の基端部２２ｂは、その軸心Ｃを稜線として屋根形状に配置された二つの連結面２２ｃを有している。従って、第二スピンドル部材２２側から見た第一スピンドル部材２１の先端部２１ｂの端面形状が半円形状であるのに対し、第一スピンドル部材２１側から見た第二スピンドル部材２２の基端部２２ｂの端面形状は扇形状である。
【００３２】
図１０に示すように、スピンドル２３は、第一スピンドル部材２１の先端部２１ｂの連結面２１ｃと、第二スピンドル部材２２の基端部２２ｂの連結面２２ｃと、を互いに対向させた状態で直列配置することによって構成されているため、第一スピンドル部材２１の回動は直接第二スピンドル部材２２へ伝達されない。即ち、第一スピンドル部材２１が回動してその連結面２１ｃの一部が、第二スピンドル部材２２の連結面２２ｃの一方に当接することによって、第一スピンドル部材２１の回動が第二スピンドル部材２２へ伝達される。従って、第一スピンドル部材２１と第二スピンドル部材２２との回動伝達には、図１２（ｂ）に示す回動角度Ｐに相当する「遊び」が存在する。なお、第二スピンドル部材２２において二つの連結面２２ｃの成す角度Ｓ（図１２（ｂ）参照）は限定しないので、この角度Ｓを増減して回動角度Ｐを変更することによって前記「遊び」の角度を変更することができる。
【００３３】
次に、図６〜図８に基づいて、吐水装置１０の吐水・止水操作について説明する。図６に示すように、ロック機構が解除された状態にあるときの操作ハンドル１７は、そのレバー１７ａが垂直位置Ｖから水平位置Ｈに至る範囲内（矢線１７ｓで示す範囲内）において回動可能であるが、通常はロック機構がセットされているため、操作ハンドル１７のレバー１７ａは垂直位置Ｖから傾斜位置Ｒ２までの範囲内で回動可能である。図７に示すように、吐水部１１を吐水位置まで回動させると、ロックカバー１６が本体部１３の下面側へ回動してロックボタン１８が露出する。ここで、ロックボタン１８を押圧すると操作ハンドル１７のロックが解除され、レバー１７ａは傾斜位置Ｒ２を通過して回動可能となるので、さらにレバー１７ａを本体部１３の背面側へ回動させると、レバー１７ａが傾斜位置Ｒ３を通過した時点で吐水口１１ａからの吐水が開始される。
【００３４】
一方、図８に示すように、レバー１７ａが水平位置Ｈ（図６参照）にあって吐水部１１が吐水状態にあるとき、レバー１７ａを下方に回動させていくと、図６に示す傾斜位置Ｒ３を経て、傾斜位置Ｒ２を通過した時点でロック機構がセットされるが、吐水部１１は吐水状態に維持される。この後、レバー１７ａをさらに本体部１３の正面側へ回動させていくと、レバー１７ａが傾斜位置Ｒ１に達した時点で吐水部１１は止水状態となる。即ち、吐水部１１が止水状態となる前の段階で操作ハンドル１７のロック機構がセットされる。
【００３５】
このように、操作ハンドル１７を回動させて吐水部１１を止水状態から吐水状態へ切り替えるときは、図６の矢線Ｘ１で示す範囲が止水範囲となり、矢線Ｘ２で示す範囲が吐水範囲となるのに対し、操作ハンドル１７を回動させて吐水部１１を吐水状態から止水状態へ切り替えるときは、図６の矢線Ｙ１で示す範囲が吐水範囲となり、矢線Ｙ２で示す範囲が止水範囲となる。
【００３６】
このように、操作ハンドル１７のロック機構のセット位置・解除位置が、吐水操作・止水操作のいずれの場合も一定位置（傾斜位置Ｒ２）であるのに対し、吐水操作時の止水範囲（矢線Ｘ１で示す範囲）と、止水操作時の止水範囲（矢線Ｙ２で示す範囲）と、が異なるのは、第一スピンドル部材２１と第二スピンドル部材２２との回動伝達に、図１２（ｂ）に示す回動角度Ｐに相当する「遊び」が存在することによる。従って、操作ハンドル１７を回動させて吐水部１１を止水状態から吐水状態へ切り替えるとき、ロック機構が解除される前に吐水部１１が吐水状態になるような事態が発生しない。これにより、吐水部１１が止水状態にあるとき、誤って操作ハンドル１１が吐水側へ回動されても、必ずロック機構が機能するため、吐水部１１から吐水されることがない。
【００３７】
また、操作ハンドル１７は、そのロック機構を解除した位置（傾斜位置Ｒ２）から傾斜位置Ｒ１に至るまで回動させないと、吐水部１１が吐水から止水へ切り替わらないため、水栓を構成するパッキンなどの劣化により、操作ハンドル１７の止水位置が変化することがあっても、ロック機構がセットされる前に、吐水部１１が止水されるような事態が発生しない。このように、吐水装置１０においては、操作ハンドル１７を吐水状態から止水状態に切り替える際に当該操作ハンドル１７のロック機構が確実にセットされるため、操作ハンドル１７の止水位置が変化してもロックミスが発生しない。
【００３８】
また、吐水装置１０の場合、スピンドル２３を、操作ハンドル１７と連結した第一スピンドル部材２１と、弁体１９と連結した第二スピンドル部材２２とで構成し、第一スピンドル部材２１と第二スピンドル部材２２との回動伝達に遊び（回動角度Ｐ）を設けることにより、第一スピンドル部材２１と第二スピンドル部材２２とが一体的に連動しない機構を形成している。従って、操作ハンドル１７の回動操作と同時に弁体１９が回動することがなく、当該操作ハンドル１７の操作角度と、それに伴う弁体１９の回動角度との間に回動角度Ｐに相当する分の「遊び」が存在する。これにより、誤って操作ハンドル１７を操作したとき、直ちに弁体１９が開いて吐水されることのないロック機構を形成することができるため、吐水部１１からの意図しない吐水を防止することできる。
【００３９】
また、吐水部１１は、図２に示すように、便器本体２０ａのボール面に向かって吐水する使用位置と、図１に示すように、便器本体２０ａの後部に起立する非使用位置との間で回動可能であるが、操作ハンドル１７にロック機構が設けられているため、吐水部１１が便器本体２０ａの後部に起立する非使用位置にあるときに操作ハンドル１７が吐水操作されても吐水部１１から吐水されない。従って、使用者が便座２０ｂに座った状態で誤って操作ハンドル１７を吐水操作しても使用者の衣服や背中に水が掛かるようなトラブルの発生を回避することができる。
【００４０】
さらに、連動ロッド１５を介して吐水部１１と一体的に回動するロックカバー１６を設けたことにより、吐水部１１が図１に示す非使用位置にある状態で、操作ハンドル１７が誤って回動操作されても、ロックカバー１６がロック機構の解除操作を阻止するため、吐水部１１からの吐水によって使用者の衣服や背中を濡らすようなトラブルを回避することができる。また、ロックカバー１６は、図２，図７に示すように吐水部１１が使用位置にあるときに限り、ロック機構を解除可能な状態にするので、吐水部１１が使用位置以外にあるときはロックカバー１６がロック機構を解除不能に保つことができる。従って、吐水部１１が使用位置にない状態において、使用者が誤ってロック機構を解除することを防止することができる。
【００４１】
次に、図１３〜図１５に基づいて吐水装置１０のその他の使用形態について説明する。図１３は図１に示す吐水装置のその他の使用形態を示す斜視図、図１４は図１３に示す吐水装置の操作手順を示す斜視図、図１５は図１３に示す吐水装置が吐水状態にあるときの斜視図である。なお、図１３〜図１５において図１〜図１２と同符号を付している部分は吐水装置１０の構成部分と同じ構造、機能を有する部分であり、説明を省略する。
【００４２】
図１３〜図１４に示すように、吐水装置１０は、便器本体３０ａと便座３０ｂとから成る洋式便器３０において、便座３０ｂを起立させた状態で使用することもできる。即ち、図１３に示すように、吐水部１１を使用位置まで回動させ、便座３０ｂを手Ｆで持ち上げて起立させた後、図１４に示すように、ロックボタン１８を手Ｆで押圧してロック機構を解除した後、図１５に示すように、操作ハンドル１７のレバー１７ａを手Ｆで掴んで吐水方向（壁面Ｗ側）へ回動させると吐水部１１の吐水口１１ａから便器本体３０ａのボール面に向かって吐水が開始される。このように、吐水装置１０は、図１に示す洋式便器２０以外の洋式便器３０においても使用することができるため、汎用性も優れている。
【産業上の利用可能性】
【００４３】
本発明の吐水装置は、多機能トイレなどに設置される尿瓶洗浄用水栓などとして広く利用することができる。
【図面の簡単な説明】
【００４４】
【図１】本発明の実施の形態である吐水装置の斜視図である。
【図２】図１に示す吐水装置が吐水状態にあるときの斜視図である。
【図３】図１に示す吐水装置の操作手順を示す斜視図である。
【図４】図１に示す吐水装置の操作手順を示す斜視図である。
【図５】図１に示す吐水装置の操作手順を示す斜視図である。
【図６】図１に示す吐水装置の側面図である。
【図７】図６に示す吐水装置の操作手順を示す側面図である。
【図８】図６に示す吐水装置が吐水状態にあるときの側面図である。
【図９】図７のＡ−Ａ線における断面図である。
【図１０】図９に示す吐水装置を構成するスピンドルの正面図である。
【図１１】（ａ）は図１０に示すスピンドルを構成する第一スピンドル部材の側面図であり、（ｂ）は前記第一スピンドル部材の正面図である。
【図１２】（ａ）は図１０に示すスピンドルを構成する第二スピンドル部材の正面図であり、（ｂ）は前記第二スピンドル部材の側面図である。
【図１３】図１に示す吐水装置のその他の使用形態を示す斜視図である。
【図１４】図１３に示す吐水装置の操作手順を示す斜視図である。
【図１５】図１３に示す吐水装置が吐水状態にあるときの斜視図である。
【図１６】従来の吐水装置を示す側面図である。
【図１７】図１６に示す吐水装置の操作手順を示す側面図である。
【図１８】図１６に示す吐水装置が吐水状態にあるときの側面図である。
【図１９】図１７のＢ−Ｂ線における断面図である。
【図２０】図１９に示す吐水装置を構成するスピンドルの正面図である。
【符号の説明】
【００４５】
１０  吐水装置
１１  吐水部
１１ａ  吐水口
１２  給水管
１３  本体部
１５  連動ロッド
１６  ロックカバー
１６ａ  溝部
１７  操作ハンドル
１７ａ  レバー
１８  ロックボタン
１９  弁体
２０，３０  洋式便器
２０ａ，３０ａ  便器本体
２０ｂ，３０ｂ  便座
２０ｃ  機能部
２１  第一スピンドル部材
２２  第二スピンドル部材
２１ａ，２２ｂ  基端部
２１ｂ，２２ａ  先端部
２１ｃ，２２ｃ  連結面
２３  スピンドル
Ｃ  軸心
Ｈ  手
Ｗ  壁面
【図１】
2010047916.tif 000003
【図２】
2010047916.tif 000004
【図３】
2010047916.tif 000005
【図４】
2010047916.tif 000006
【図５】
2010047916.tif 000007
【図６】
2010047916.tif 000008
【図７】
2010047916.tif 000009
【図８】
2010047916.tif 000010
【図９】
2010047916.tif 000011
【図１０】
2010047916.tif 000012
【図１１】
2010047916.tif 000013
【図１２】
2010047916.tif 000014
【図１３】
2010047916.tif 000015
【図１４】
2010047916.tif 000016
【図１５】
2010047916.tif 000017
【図１６】
2010047916.tif 000018
【図１７】
2010047916.tif 000019
【図１８】
2010047916.tif 000020
【図１９】
2010047916.tif 000021
【図２０】
2010047916.tif 000022